(57)【要約】【課題】キャリーバッグやシルバーカーのグリップにグリップの径にかかわらず簡単に巻きつけて使用することができ、かつグリップの握り易さに影響を与えず、しかもグリップへの着脱を繰り返しても巻き付け部分の接着力が劣化することがないカイロ収納部を備えたグリップ用カバーを提供すること。【解決手段】可撓性の基材１により略方形状に形成され棒状のグリップＧに巻きつけて使用するグリップ用カバーであって、前記基材はカイロ収納部２を有し、前記基材の四隅のうち対向する二つのコーナー部分にはそれぞれ磁石５が設けられ、前記基材の他の二つのコーナー部分からそれぞれ縁に沿って前記磁石方向に向けて、磁性材料製の所望長のチェーン６が設けられていることを特徴とする。【選択図】図３
2015213629.tif 000002
【特許請求の範囲】
【請求項１】
可撓性の基材により略方形状に形成され棒状のグリップに巻きつけて使用するグリップ用カバーであって、
前記基材は使い捨てカイロ収納用のカイロ収納部を有し、
前記基材の四隅のうち対向する二つのコーナー部分にはそれぞれ磁石が設けられ、
前記基材の他の二つのコーナー部分からそれぞれ縁に沿って前記磁石方向に向けて、磁性材料製の所望長のチェーンが設けられていることを特徴とするグリップ用カバー。
【請求項２】
前記磁石及び（又は）前記チェーンは前記基材に対し着脱可能に設けられていることを特徴とする請求項１に記載のグリップ用カバー。
【請求項３】
前記磁石及び（又は）前記チェーンに着脱部材が設けられているとともに、前記基材に前記磁石及び（又は）前記チェーンに設けられた前記着脱部材に対し着脱可能な着脱部材が設けられていることを特徴とする請求項２に記載のグリップ用カバー。
【請求項４】
前記磁石及び（又は）前記チェーンは前記基材の内部に設けられていることを特徴とする請求項１〜３のいずれかに記載のグリップ用カバー。
【発明の詳細な説明】
【技術分野】
【０００１】
本発明は、寒冷時に防寒用にキャリーバッグやシルバーカーのグリップに巻きつけて使用するカイロ収納部を備えたグリップ用カバーに関する。
【背景技術】
【０００２】
従来、寒冷時の寒さ対策として使い捨てカイロが広く使用されている。使い捨てカイロは直接被服や皮膚に貼り付けて使用する場合もあるが、使用用途に適合させるためや低温やけどの防止を目的として、カイロを収納して使用できるようにした用具も各種開発されている。
【０００３】
例えば特許文献１として示す特許第３７５６６２４号公報には手袋の防寒作用を高めるため手袋にカイロを装着できるようにしたカイロ収納袋付の手袋が記載されている。
【０００４】
また、特許文献２として示す実開平４−４２８４７号公報には脚や腕などに巻きつけられる帯体にカイロを入れるためのポケットを設け、巻きつけて固定するために係止具を備えたものが記載されている。また、特許文献３として示す特許第４３６０５１２号公報には方形状に形成した基体にカイロ収納部を設け、この基体を折り曲げ可能とし折り曲げ後に両縁部を着脱自在としたものが記載されている。
【先行技術文献】
【特許文献】
【０００５】
【特許文献１】特許第３７５６６２４号公報
【特許文献２】実開平４−４２８４７号公報
【特許文献３】特許第４３６０５１２号公報
【発明の概要】
【発明が解決しようとする課題】
【０００６】
ところで、近年高齢者が買い物などに出かける際にシルバーカーやキャリーバッグを利用する頻度が高まってきている。いずれの場合も使用する場合はグリップを手で握ることになるが、寒冷時にはグリップが冷たいためこのグリップを直接握ろうとすると寒さで手がかじかんでしまって十分に握りしめることができない。特に握力が落ちてきている高齢者の場合は確実に握ることができないと事故に結びつく危険性もある。
【０００７】
この様な場合に、特許文献１に記載のカイロ収納袋付の手袋は手袋内にカイロを収納できるため手袋としての保温効果を高めるためには有用であるが、手袋をしていると手や指の動きが不自由になるため、例えばコートやズボンのポケットから何かを取り出したいような場合にいちいち手袋を外す必要があり不便であり、また手袋内にカイロを入れているためグリップのような細いものは握りづらくなる。
【０００８】
一方、特許文献２や特許文献３に示されるものは寒さ対策のためにグリップに巻きつけて使用することは可能ではあるが固定方法に面ファスナーを用いているため、何回も面ファスナーの着脱を繰り返すと面ファスナーの表面にごみが付着したり面ファスナーの表面が毛羽立ってきたりする結果、使用しているうちに徐々に面ファスナーの接合力は弱くなってくる欠点がある。
【０００９】
本発明は、このような問題点を解決するためになされたものであり、その目的とするところは、キャリーバッグやシルバーカーのグリップにグリップの径にかかわらず簡単に巻きつけて使用することができ、かつグリップの握り易さに影響を与えず、しかもグリップへの着脱を繰り返しても巻きつけ部分の接合力が劣化することがないカイロ収納部を備えたグリップ用カバーを提供することである。
【課題を解決するための手段】
【００１０】
上記の目的を達成するために、本発明のグリップ用カバーは、可撓性の基材により略方形状に形成され棒状のグリップに巻きつけて使用するグリップ用カバーであって、前記基材はカイロ収納部を有し、前記基材の四隅のうち対向する二つのコーナー部分にはそれぞれ磁石が設けられ、前記基材の他の二つのコーナー部分からそれぞれ縁に沿って前記磁石方向に向けて、磁性材料製の所望長のチェーンが設けられていることを特徴としている。
【００１１】
また、本発明においては、前記磁石及び（又は）前記チェーンは前記基材に対し着脱可能に設けられていることが好ましい。
【００１２】
また、本発明においては、前記磁石及び（又は）前記チェーンに着脱部材が設けられているとともに、前記基材に前記磁石及び（又は）前記チェーンに設けられた前記着脱部材に対し着脱可能な着脱部材が設けられていることが好ましい。
【００１３】
また、本発明においては、前記磁石及び（又は）前記チェーンは前記基材の内部に設けられていることが好ましい。
【発明の効果】
【００１４】
本発明によれば、キャリーバッグやシルバーカーのグリップにグリップの径にかかわらず簡単に巻きつけて使用することができ、かつグリップの握り易さに影響を与えず、しかもグリップへの着脱を繰り返しても巻きつけ部分の接合力が劣化することがないカイロ収納部を備えたグリップ用カバーを得る。
【図面の簡単な説明】
【００１５】
【図１】本発明に係るグリップ用カバーの一例を示す底面図である。
【図２】図１のグリップ用カバーの平面図である。
【図３】図１のグリップ用カバーをグリップに取り付けた状態を示す説明用の斜視図である。
【発明を実施するための形態】
【００１６】
本発明を実施するための形態を、図１と図２を用いて詳細に説明する。
本発明のグリップ用カバーは図１に示すように略方形状に形成された可撓性の基材１の裏面側１１の中央部にカイロ収納部２が設けられ、カイロ収納部２の一方の側（図１において上側）は開口してカイロの挿入部３となっている。また、図２に示すように基材１の表面側１２のカイロ収納部２は握っている手への熱伝導を良くするためにメッシュ素材４により形成されている。
【００１７】
本発明のグリップ用カバーはキャリーバッグやシルバーカーのグリップに巻きつけて使用するものであるため、基材１はグリップに巻きつけ可能な可撓性を有している必要があり、例えば布製とするが、合成樹脂製であってもよい。なお、図示した本実施例では基材１は表面側１２と裏面側１１との二枚の布地を重ね合わせ、その周囲を縫合するようにして形成されている。
【００１８】
基材１の裏面側１１の布地にはその一部が開口したカイロの挿入部３が形成されている。そして、表面側１２の布地と裏面側１１の布地の間に挿入部３から挿入されるカイロＷが丁度収納できる大きさにカイロ収納部２が形成されるように、挿入部３と反対側の重ね合わせた表面側１２と裏面側１１の布地が縫合され収納部底部２１が形成されている。なお、前記したように表面側１２のカイロ収納部２部分をメッシュ素材４としてもよいが、表面側１２の布地は全部同じ材質のものであってもよい。
【００１９】
また、基材１の四隅のうち対向する二つのコーナー部分にはそれぞれ磁石５が設けられている。一方、基材１の他の二つのコーナー部分から基材１の縁に沿ってそれぞれ磁石５方向に向けて、磁性材料製の所望長のチェーン６が設けられている。例えば、図１において上端の左右のコーナー部分には磁石５が設けられている。また、下端の左右のコーナー部分からそれぞれ対向する磁石５方向にチェーン６が設けられている。チェーン６の長さは巻きつけるグリップの太さにより適宜選択可能であるが、例えば図示したように左右の辺の長さの約半分程度とすればよい。
【００２０】
磁石５は本発明のカバーをグリップに巻きつける際の邪魔とならないようにするために、必要な磁力を有する範囲では極力小さな形状のものがよく、例えば小さな正方形形状のものや円形形状とする。磁石５は小さくて強力な磁力を得るために、例えばネオジム磁石を用いる。またチェーン６は磁性材料製のものであれば何でもよいが、曲がり易く手になじみやすいように、磁石５と十分な吸着力を発揮できる範囲で小径のものが望ましい。なお、チェーン６を構成する鎖素子の形状についての制限はないが、磁石５との吸着面積を大きくするためには、平面部分が多い形状が望ましい。
【００２１】
また、磁石５やチェーン６は基材１の表面側１２と裏面側１１の二枚の布地の間に挟まれるようにして基材１の内側に配設されている。このようにすると、磁石５やチェーン６が基材１の外に露出しないので、これらが直接手に触れることがないため本発明のカバーを触った際に磁石５やチェーン６の存在が邪魔とならず違和感を覚えることがなく、またデザイン性にも優れたものとなる。
【００２２】
磁石５の基材１への取り付け方法としては、磁石５を基材１に直接縫い付けたり接着剤により接着させてもよい。また、洗濯時に磁石５を取り外せるようにするために、基材１のコーナー部分に小さな磁石収納部を設けてこの中に磁石５を挿入して配置するようにしてもよい。あるいは着脱部材としてスナップボタンを用い、磁石５に雄スナップボタンを取り付け、基材１側に雌スナップボタンを取り付け、このスナップボタンを利用して磁石５を基材１に着脱可能に取り付けるようにしてもよい。
【００２３】
また、チェーン６の基材１への取り付け方法としては、例えばチェーン６の両端部のみを部分的に基材１に縫い付けて固定すればよい。またチェーン６の形状によっては基材１に対するチェーン６の縫い付け箇所をもっと増やしてもよい。あるいは、洗濯時にチェーン６を基材１から取り外せるようにするために、着脱部材としてスナップボタンを用い、チェーン６の両端部に雄スナップボタンを取り付け、また基材１側に雌スナップボタンを取り付け、このスナップボタンを利用してチェーン６を基材１に着脱可能に取り付けるようにしてもよい。
【００２４】
なお、磁性材料として板状のものを使用すると自由に曲折できないためグリップへの巻きつけには不向きである。また、磁性材料としてチェーンのようにつながっていない小さな磁性材料を多数基材１へ取り付けようとすると１個ずつ取り付けなければならず取り付け作業が非常に面倒なものとなる。磁性材料としてチェーン６を使用することにより、基材１に対して自由に曲折でき、また基材１への配設がきわめて簡単になる。
【００２５】
また、基材１は必ずしも二枚重ねとせず、カイロ収納部２のみ二枚重ねとしてその部分だけをポケット状に形成するようにしてもよい。この場合は、磁石５やチェーン６は基材１の表面に露出させて配設するか、あるいは磁石５やチェーン６の部分のみこれらをカバーするために別途カバー素材を設けるようにしてもよい。磁石５やチェーン６の部分がカバー素材で覆われている場合も磁石５やチェーン６は基材１の表面に露出していないこととなるため、磁石５やチェーン６は実質上基材１の内部に設けられていることとなる。
【００２６】
なお、本発明のグリップ用カバーは上記実施例に限定されるものではなく、基材１に対しカイロ収納部２を設ける位置や数は適宜選択可能であり、また基材１の大きさは片手分の幅であってもあるいは両手で同時に握れる程度の幅であってもどちらでもよい。また、コーナー部分に設ける磁石５はそれぞれのコーナー部分に一個ずつ設ける例でもって説明したが、一つのコーナー部分に複数個の磁石を設けるようにしてもよい。また、チェーンも一本ずつでなく複数本ずつ設けるようにしてもよい。
【００２７】
次に、上記した本発明のグリップ用カバーの使用方法を図１〜３に基づいて説明する。
まず、使い捨てカイロの封を切り使用可能な状態としたカイロＷをグリップ用カバーの挿入部３からカイロ収納部２へ挿入する。そして、シルバーカーやキャリーバッグのグリップＧに表面側１２のメッシュ素材４が外側を向くようにしてグリップ用カバーを巻きつける。
【００２８】
グリップ用カバーをグリップＧに巻きつけるときには、チェーン６側が内側で磁石５が外側となるようにする。そして、グリップＧに対するグリップ用カバーの巻きつけ位置を調整した後、チェーン６に磁石５を吸着させるようにして端部を固定する。なお、チェーン６と磁石５の巻きつけ位置は逆でも端部の固定は可能であるがこの場合は余分なチェーン６が垂れ下がる場合があるので、チェーン６が内側（グリップＧに近い側）となるようにして巻きつける方が望ましい。
【００２９】
チェーン６はグリップＧの形状に応じて自由に曲折可能であり、また磁石５はチェーン６と吸着する位置に制限はないため、チェーン６と磁石５を組み合わせることによりグリップＧに対しグリップ用カバーの巻きつけ長さを自由に調節することができる。また、磁力により吸着させているため、面ファスナーのように使用により接合力が低下することもない。
【００３０】
また、グリップ用カバーが不要となった場合やカイロＷを交換する場合は、磁石５部分を持って磁石５をチェーン６から引き離すようにすれば、グリップ用カバーは簡単にグリップＧから取り外すことができる。
【符号の説明】
【００３１】
１    基材
１１  裏面側
１２  表面側
２    カイロ収納部
２１  収納部底部
３    挿入部
４    メッシュ素材
５    磁石
６    チェーン
Ｇ    グリップ
Ｗ    カイロ
【図１】
2015213629.tif 000003
【図２】
2015213629.tif 000004
【図３】
2015213629.tif 000005